(57)【要約】【課題】  一つの親局と複数の子局とが、光分岐器で分岐された光伝送路を介して接続される光通信システムにおいて、子局の発光する異常信号光を遮断する光遮断装置の省スペース化と部材コストの低減を図る。【解決手段】  親局が、子局との通信エラーに基づき異常信号光の発光を検知した場合に、子局に固有の情報ＩＤを含む遮断制御用波長光を生成し送信する送信部と、前記情報ＩＤを順次変更して前記遮断制御用波長光を送信させ、通信エラーの有無に基づき異常信号光を発光する子局を特定するとともに、特定した子局に固有の情報ＩＤを含む遮断制御用波長光をさらに送信させる制御部とを備え、光遮断装置が、光信号を遮断可能な光スイッチと、前記親局から受信する前記情報ＩＤより特定される子局に対応する前記光スイッチのみを制御して信号光を遮断させる光スイッチ制御部とを備える。【選択図】  図１
2010028287.tif 000002
【特許請求の範囲】
【請求項１】
一つの親局と複数の子局とが、光分岐器で分岐された光伝送路を介して接続され、前記光伝送路上に前記子局の発光する異常信号光を遮断する光遮断装置を備えた光遮断システムにおいて、
前記親局は、前記子局との通信エラーに基づき異常信号光の発光を検知した場合に、子局に固有の情報ＩＤを含む遮断制御用波長光を生成し送信する送信部と、
前記情報ＩＤを順次変更して前記遮断制御用波長光を送信させ、通信エラーの有無に基づき異常信号光を発光する子局を特定するとともに、特定した子局に固有の情報ＩＤを含む遮断制御用波長光をさらに送信させる制御部とを備え、
前記光遮断装置は、前記複数の子局それぞれに対応して設けられ、それぞれが
光信号を遮断可能な光スイッチと、
この光スイッチを制御する光スイッチ制御部とを備え、
この光スイッチ制御部が、前記親局から前記遮断制御用波長光を受信し、前記情報ＩＤより特定される子局が当該光遮断装置の対応する子局である場合のみ前記光スイッチを制御して信号光を遮断させることを特徴とする光遮断システム。
【請求項２】
一つの親局と複数の子局とが、光分岐器で分岐された光伝送路を介して接続され、前記光伝送路上に前記子局の発光する異常信号光を遮断する光遮断装置を備えた光遮断システムにおいて、
前記親局は、前記子局との通信エラーに基づき異常信号光の発光を検知した場合に、子局に固有の情報ＩＤを含む遮断制御用波長光を生成し送信する送信部と、
前記情報ＩＤを順次変更して前記遮断制御用波長光を送信させ、通信エラーの有無に基づき異常信号光を発光する子局を特定するとともに、特定した子局に固有の情報ＩＤを含む遮断制御用波長光をさらに送信させる制御部とを備え、
前記光遮断装置は、前記光分岐器を内部に備え、さらに
前記複数の子局それぞれに対応して設けられ光信号を遮断可能な複数の光スイッチと、
前記複数の光スイッチを制御する光スイッチ制御部とを備え、
この光スイッチ制御部が、前記親局から前記遮断制御用波長光を受信し、前記情報ＩＤより特定される子局に対応する前記光スイッチを制御して信号光を遮断させることを特徴とする光遮断システム。
【請求項３】
前記親局は、前記遮断制御用波長光を通信用信号光に波長多重化して送信し、
前記光遮断装置は、前記遮断制御用波長光を通信用信号光から分離するＷＤＭカプラを備えることを特徴とする請求項２に記載の光遮断システム。
【請求項４】
前記光遮断装置は、前記光分岐器がＹ分岐器回路で、前記光スイッチがマッハツェンダー干渉計で、前記光スイッチ制御部が前記マッハツェンダー干渉計内部のヒータを制御するヒータ制御部でそれぞれ構成され、
前記ＷＤＭカプラ、前記Ｙ分岐器回路、および前記マッハツェンダー干渉計が、石英系プレーナ光波回路で構成されることを特徴とする請求項３に記載の光遮断システム。
【請求項５】
一つの親局と複数の子局とが、光分岐器で分岐された光伝送路を介して接続され、前記光伝送路上に前記子局の発光する異常信号光を遮断する光遮断装置を備えた光遮断システムの親局において、
前記子局との通信エラーに基づき異常信号光の発光を検知した場合に、子局に固有の情報ＩＤを含む遮断制御用波長光を生成し送信する送信部、
前記情報ＩＤを順次変更して前記遮断制御用波長光を送信させ、通信エラーの有無に基づき異常信号光を発光する子局を特定するとともに、特定した子局に固有の情報ＩＤを含む遮断制御用波長光をさらに送信させる制御部を備えることを特徴とする親局。
【請求項６】
一つの親局と複数の子局とを光分岐器を介して接続する光伝送路上に設けられ、前記子局の発光する異常信号光を遮断する光遮断装置において、
当該光遮断装置は、前記複数の子局それぞれに対応して設けられ、それぞれが
光信号を遮断可能な光スイッチ、
この光スイッチを制御する光スイッチ制御部を備え、
この光スイッチ制御部が、前記親局から前記子局に固有の情報ＩＤを含む遮断制御用波長光を受信し、前記情報ＩＤより特定される子局が当該光遮断装置の対応する子局である場合のみ前記光スイッチを制御して信号光を遮断させることを特徴とする光遮断装置。
【請求項７】
一つの親局と複数の子局とを光分岐器を介して接続する光伝送路上に設けられ、前記子局の発光する異常信号光を遮断する光遮断装置において、
当該光遮断装置は、前記光分岐器を内部に備え、さらに
前記複数の子局それぞれに対応して設けられ光信号を遮断可能な複数の光スイッチ、
前記複数の光スイッチを制御する光スイッチ制御部を備え、
この光スイッチ制御部が、前記親局から前記子局に固有の情報ＩＤを含む遮断制御用波長光を受信し、前記情報ＩＤより特定される子局に対応する前記光スイッチを制御して信号光を遮断させることを特徴とする光遮断装置。
【発明の詳細な説明】
【技術分野】
【０００１】
この発明は、光ファイバを用いて加入者へインターネットサービスを提供するＧＥ−ＰＯＮシステム（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ  Ｓｙｓｔｅｍ）において、このシステムで使用される加入者側光回線終端装置（ＯＮＵ：Ｏｐｔｉｃａｌ  Ｎｅｔｗｏｒｋ  Ｕｎｉｔ）から局側光回線終端装置（ＯＬＴ：Ｏｐｔｉｃａｌ  Ｌｉｎｅ  Ｔｅｒｍｉｎａｌ）へ送信される異常信号光を遮断する装置に関する。
【背景技術】
【０００２】
ＧＥ−ＰＯＮシステムは、センター局に設置する局側光回線終端装置（親局）と、伝送路を例えば最大３２分岐させる光分岐器と、分岐された伝送路の終端として加入者宅内に設置される複数の加入者側光回線終端装置（子局）から構成されている。局側光回線終端装置から加入者側光回線終端装置への下り信号には１４９０ｎｍ、加入者側光回線終端装置から局側光回線終端装置への上り信号には１３１０ｎｍの波長を割り当て、波長多重方式（ＷＤＭ：Ｗａｖｅｌｅｎｇｔｈ  Ｄｉｖｉｓｉｏｎ  Ｍｕｌｔｉｐｌｅｘｉｎｇ）を使って一芯双方向光通信を行う。
【０００３】
上記システムにおいて、加入者が例えば正規以外の加入者側光回線終端装置を設置し、当該加入者側光回線終端装置から異常信号光（妨害光）が発光された場合、その異常信号光が全ての加入者側光回線終端装置からの上り信号に影響を及ぼし、システム内の通信ができなくなるという問題がある。
【０００４】
この問題に対し従来の光遮断装置では、各端末装置（加入者側光回線終端装置）から送信される信号光を２分岐する光分岐手段、２分岐された一方に信号強度のピーク値あるいは平均値で妨害光を検出する異常検出手段、他方に信号光を遮断する光スイッチ、光スイッチを制御する制御装置を備えて、制御装置が前記異常検出手段の妨害光の検出に応じて光スイッチを制御して、各端末装置から光スターカプラ（光分岐器）に入射する妨害光を遮断するようにしていた。
【０００５】
【特許文献１】特開平３−６４１３５
【発明の開示】
【発明が解決しようとする課題】
【０００６】
従来の光遮断装置では、光スイッチとその制御装置に加え、異常信号光を検出するために信号光を２分岐する光分岐手段と異常検出手段を設ける必要があり、加入者側（加入者宅内）での設置場所の確保が必要となる、部材コストが発生するという問題点があった。
【０００７】
また、当該光遮断装置を各加入者側光回線終端装置それぞれに設置するため、加入者側光回線終端装置の数量だけ当該装置が必要になり、さらに部材コスト、設置コストが発生するという問題点があった。
【０００８】
この発明は、上記のような問題点を解消するためになされたものであり、設置場所の省スペース化を達成できるとともに、部材コストを低減することを目的とする。
【課題を解決するための手段】
【０００９】
この発明は、一つの局側光回線終端装置側（親局）と複数の加入者側光回線終端装置（子局）とが、光分岐器で分岐された光伝送路を介して接続され、前記光伝送路上に前記加入者側光回線終端装置（子局）の発光する異常信号光を遮断する光遮断装置を備えた光遮断システムであって、前記局側光回線終端装置側（親局）が、前記加入者側光回線終端装置（子局）との通信エラーに基づき異常信号光の発光を検知した場合に、加入者側光回線終端装置（子局）に固有の情報ＩＤを含む遮断制御用波長光を生成し送信する送信部と、前記情報ＩＤを順次変更して前記遮断制御用波長光を送信させ、通信エラーの有無に基づき異常信号光を発光する加入者側光回線終端装置（子局）を特定するとともに、特定した加入者側光回線終端装置（子局）に固有の情報ＩＤを含む遮断制御用波長光をさらに送信させる制御部とを備え、前記光遮断装置が、前記複数の加入者側光回線終端装置（子局）それぞれに対応して設けられ、それぞれが、光信号を遮断可能な光スイッチと、この光スイッチを制御する光スイッチ制御部とを備え、この光スイッチ制御部が、前記局側光回線終端装置側（親局）から前記遮断制御用波長光を受信し、前記情報ＩＤより特定される加入者側光回線終端装置（子局）が当該光遮断装置の対応する加入者側光回線終端装置（子局）である場合のみ前記光スイッチを制御して信号光を遮断させるようにしたものである。
【発明の効果】
【００１０】
この発明によれば、加入者側光回線終端装置（子局）から発光される異常信号光を局側光回線終端装置（親局）側で通信エラーに基づき検知し、加入者側光回線終端装置（子局）に固有の情報ＩＤを含む遮断制御用波長光を送信して加入者側光回線終端装置（子局）に対応する光スイッチを制御し信号光を遮断するようにしたので、各加入者側光終端装置（子局）に従来の光分岐手段や異常検出手段を設置する必要がなく、設置場所の省スペース化が可能となり、部材コスト、設置コストを低減することができる。
【発明を実施するための最良の形態】
【００１１】
実施の形態１．
以下に、この発明の実施の形態１を図に基づいて説明する。図１はこの発明の実施の形態１による光遮断装置とこれを用いた光遮断システムを示すブロック図である。本発明の光遮断システムは、センター局に設置する局側光回線終端装置（親局）１、複数の加入者側光回線終端装置（子局）２と、その間に設けられ伝送路をｎ分岐させる光分岐器である光分岐カプラ３、この光分岐カプラ３と各加入者側光回線終端装置２との間にそれぞれ設けられた複数の光遮断装置４を含んで構成される。局側光回線終端装置１と加入者側光回線終端装置２は、波長多重方式（ＷＤＭ）を用いて一芯双方向通信を行う。
【００１２】
光遮断装置４は、ＧＥ−ＰＯＮ波長光と遮断制御用波長光を分岐するＷＤＭカプラ５、ＧＥ−ＰＯＮ波長光を遮断する光スイッチ６、受信した遮断制御用波長光を電気信号に変換する光電気変換部７、光スイッチ制御部８を内部に備える。光スイッチ制御部８は、光電気変換部７で遮断制御用波長光から変換された電気信号に基づいて光スイッチ６を制御する。
【００１３】
局側光回線終端装置１は、信号の送受信処理を行う制御部９、制御部９から入力される送信信号情報に応じて、ＧＥ−ＰＯＮ波長光を出力する送信部１０、信号光を受信して受信信号情報を制御部９へ出力する受信部１１、信号光の波長多重分離を行う波長多重化部１２を備える。制御部９は、受信信号処理における通信エラーから異常信号光の発光を検知し、各加入者側光回線終端装置に固有の情報ＩＤを載せた遮断制御用波長光を送信するよう送信部１０、波長多重化部１２を制御する。
【００１４】
次に動作について説明する。本発明の実施の形態１の光遮断システムにおいて、正規以外の加入者側光回線終端装置が設置されるなどして、当該加入者側光回線終端装置２が正規以外の異常信号光（妨害光）を発光した場合、この異常信号光は局側光回線終端装置１への上り信号として光スイッチ６をとおり光分岐カプラ３でその他の加入者側光回線終端装置２からの上り信号と結合され局側光回線終端装置１へ入射される。局側光回線終端装置１は、結合された異常信号光のため、他の加入者側光回線終端装置２から送信された信号を正常に受信することができず、制御部９が通信エラーに基づき、いずれかの加入者側光回線終端装置２から異常信号光が発光されていることを検知する。
【００１５】
次に局側光回線終端装置１は、制御部９が送信部１０、波長多重化部１２を制御して、異常信号光を発光している加入者側光回線終端装置２を特定するために、各加入者側光回線終端装置２を指定する情報ＩＤをのせた遮断制御用波長光を発光する。各光遮断装置４において、この遮断制御用波長光を受信した光スイッチ制御部８は、遮断制御用波長光内にある情報ＩＤを読み取る。光スイッチ制御部８は、情報ＩＤにより指定された加入者側光回線終端装置２に当該光遮断装置４が接続されているか否かを判断し、接続されていないと判断した場合は制御信号を出力せず、接続されていると判断した場合は光スイッチ６に対し制御信号を出力する。この制御信号を受信した光スイッチ６は作動して光信号を遮断する。ここで、光スイッチ制御部８は、光電気変換部７で遮断制御用波長光の光エネルギーを電気エネルギーに変換したエネルギーを元に駆動される。
【００１６】
局側光回線終端装置１は、上記で説明した情報ＩＤで特定される加入者側光回線終端装置２の光信号を遮断する制御を、局線内のすべての加入者側光回線終端装置２に対して順次行い、遮断していない他の加入者側光回線終端装置２から送信された信号を正常に受信することができるか否かの判断に基づき、異常信号光を発光している加入者側光回線終端装置２を特定する。すなわち、局側光回線終端装置１において正常な通信が可能になった状態時に、光信号を遮断するように制御されている加入者側光回線終端装置２が異常信号光を発光していた装置と特定される。
【００１７】
局側光回線終端装置１は、ＧＥ−ＰＯＮ波長光とは別に、異常信号光を発光させていると特定した加入者側光回線終端装置２の情報ＩＤをのせた遮断制御用波長光を発光させる。光分岐カプラ３にて分岐された光信号は、それぞれの光遮断装置４に含まれるＷＤＭカプラ５にてＧＥ−ＰＯＮ波長光と遮断制御用波長光が分離され、ＧＥ−ＰＯＮ波長光は光スイッチ６を介して加入者側光回線終端装置２に入射される。一方、遮断制御用波長光は各光遮断装置４の光スイッチ制御部８に入射され、光スイッチ制御部８が遮断制御用波長光内にある情報ＩＤを読み取る。光スイッチ制御部８は、当該光遮断装置４が情報ＩＤで指定された異常信号光（妨害光）を発光させている該当の加入者側光回線終端装置２と接続されている場合にのみ光スイッチ６を切り替え、加入者側光回線終端装置２からの上り光信号を遮断する。
【００１８】
以上のように、この実施の形態１によれば、局側光回線終端装置１と加入者側光回線終端装置２間に、各加入者側光回線終端装置２それぞれに、ＷＤＭカプラ５、光スイッチ６、光スイッチ制御部８を含み構成した光遮断装置４を設けて光遮断システムを構成するようにしたので、加入者側光回線終端装置２毎に異常信号光を検知する装置を設置する必要が無く、設置場所の縮小が可能となるとともに、部材コストの低減が可能になる。
【００１９】
実施の形態２．
次に、この発明の実施の形態２を図に基づいて説明する。図２はこの発明の実施の形態２による光遮断装置とこれを用いた光遮断システムを示すブロック図である。本発明の光遮断システムは、センター局に設置する局側光回線終端装置１、複数の加入者側光回線終端装置２と、その間に設けられ伝送路を分岐させる光分岐器の機能を含んだ光遮断装置１４から構成される。局側光回線終端装置１と加入者側光回線終端装置２は、波長多重方式（ＷＤＭ）を用いて一芯双方向通信を行う。
【００２０】
光遮断装置１４は、ＧＥ−ＰＯＮ波長光と遮断制御用波長光を分岐するＷＤＭカプラ１５、伝送路を最大３２分岐させる光分岐器である光分岐カプラ１３、光分岐カプラ１３で分岐された伝送路それぞれに各加入者側光回線終端装置２に対応付けて（接続して）設けられたＧＥ−ＰＯＮ波長光を遮断する光スイッチ１６、受信した遮断制御用波長光に基づいて光スイッチ１６を制御する光スイッチ制御部１８を内部に備え、光スイッチ制御部１８は電線１７より電源供給される。
【００２１】
局側光回線終端装置１は、信号の送受信処理を行う制御部９、制御部９から入力される送信信号情報に応じて、ＧＥ−ＰＯＮ波長光を出力する送信部１０、信号光を受信して受信信号情報を制御部９へ出力する受信部１１、信号光の波長多重分離を行う波長多重化部１２を備える。制御部９は、受信信号処理における通信エラーから異常信号光の発光を検知し、各加入者側光回線終端装置に固有の情報ＩＤを載せた遮断制御用波長光を送信するよう送信部１０、波長多重化部１２を制御する。
【００２２】
次に動作について説明する。本発明の実施の形態２の光遮断システムにおいて、正規以外の加入者側光回線終端装置が設置されるなどして、当該加入者側光回線終端装置２が正規以外の異常信号光（妨害光）を発光した場合、この異常信号光は局側光回線終端装置１への上り信号として光スイッチ１６をとおり光分岐カプラ１３でその他の加入者側光回線終端装置２からの上り信号と結合され局側光回線終端装置１へ入射される。局側光回線終端装置１は、結合された異常信号光のため、他の加入者側光回線終端装置２から送信された信号を正常に受信することができず、制御部９が通信エラーに基づき、いずれかの加入者側光回線終端装置２から異常信号光が発光されていることを検知する。
【００２３】
次に局側光回線終端装置１は、制御部１２が送信部１０、波長多重化部１２を制御して、異常信号光を発光している加入者側光回線終端装置２を特定するために、各加入者側光回線終端装置２を指定する情報ＩＤをのせた遮断制御用波長光を発光する。光遮断装置１４において、この遮断制御用波長光を受信した光スイッチ制御部１８は、遮断制御用波長光内にある情報ＩＤを読み取り、情報ＩＤで特定される加入者側光回線終端装置２に対応する光スイッチ１６を特定し、特定した光スイッチ１６に対し制御信号を出力する。この制御信号を受信した光スイッチ１６は作動して光信号を遮断する。ここで、光スイッチ制御部１８は、外部から電源供給が必要となるため、電線１７より電源を供給され光スイッチ１６を制御する。
【００２４】
局側光回線終端装置１は、上記で説明した情報ＩＤで特定される加入者側光回線終端装置２の光信号を遮断する制御を、局線内のすべての加入者側光回線終端装置２に対して順次行い、遮断していない他の加入者側光回線終端装置２から送信された信号を正常に受信することができるか否かの判断に基づき、異常信号光を発光している加入者側光回線終端装置２を特定する。すなわち、局側光回線終端装置１において正常な通信が可能になった状態時に、光信号を遮断するように制御されている加入者側光回線終端装置２が異常信号光を発光していた装置と特定される。
【００２５】
局側光回線終端装置１は、ＧＥ−ＰＯＮ波長光とは別に、異常信号光を発光させていると特定した加入者側光回線終端装置２の情報ＩＤをのせた遮断制御用波長光を発光させる。ＷＤＭカプラ１５にてＧＥ−ＰＯＮ波長光と遮断制御用波長光が分離され、ＧＥ−ＰＯＮ波長光は光分岐カプラ１３に入射し、光スイッチ１６を介して加入者側光回線終端装置２に入射される。一方、遮断制御用波長光は光遮断装置１４の光スイッチ制御部１８に入射され、光スイッチ制御部１８が遮断制御用波長光内にある情報ＩＤを読み取る。光スイッチ制御部１８は、情報ＩＤで特定される、すなわち異常信号光（妨害光）を発光させている該当の加入者側光回線終端装置２と接続されている光スイッチ１６のみ切り替え、当該加入者側光回線終端装置２からの上り光信号を遮断する。
【００２６】
以上のように、この実施の形態２によれば、局側光回線終端装置１と加入者側光回線終端装置２間に、従来の光分岐器内にＷＤＭカプラ５、光スイッチ１６、光スイッチ制御部１８を備えた、すなわちＷＤＭカプラ５、光分岐器３、光スイッチ１６、光スイッチ制御部１８を含み構成した光遮断装置１４を設けて光遮断システムを構成するようにしたので、実施の形態１の効果に加え、さらに加入者側光回線終端装置２毎に光遮断装置１４を設置する必要が無く、設置場所の縮小が可能となる。また、光遮断装置１４の設置数が加入者数から光分岐器内の１台に削減できるため、部材コスト、設置コストの低減が図れる。
【００２７】
尚、本実施の形態２において、実施の形態１で説明した光電気変換部を備え、この光電気変換部で遮断制御用波長光の光エネルギーを電気エネルギーに変換したエネルギーを元に光スイッチを駆動することも可能である。その場合は、電線１７は不要となる。
【００２８】
実施の形態３．
次に、この発明の実施の形態３を図に基づいて説明する。図３はこの発明の実施の形態３による光遮断装置とこれを用いた光遮断システムを示すブロック図である。本発明の光遮断システムは、センター局に設置する局側光回線終端装置１、複数の加入者側光回線終端装置２と、その間に設けられ伝送路を分岐させる光分岐器の機能を含んだ光遮断装置２４から構成される。
【００２９】
光遮断装置２４は、ＧＥ−ＰＯＮ波長光と遮断制御用波長光を分岐するＷＤＭカプラ１５、ＧＥ−ＰＯＮ波長光を分岐する光分岐器であるＹ分岐器回路２３、Ｙ分岐器回路２３で分岐された伝送路それぞれに各加入者側光回線終端装置２に対応付けて（接続して）設けられＧＥ−ＰＯＮ波長光を遮断する光スイッチとして動作するマッハツェンダー干渉計（ＭＺＩ：Ｍａｃｈ−Ｚｅｈｎｄｅｒ  ｉｎｔｅｒｆｅｒｏｍｅｔｅｒ）２６、受信した遮断制御用波長光に基づいてマッハツェンダー干渉計２６内部のヒータを制御するヒータ制御部（光スイッチ制御部）２７を内部に備える。
【００３０】
ＷＤＭカプラ１５、Ｙ分岐器回路２３、マッハツェンダー干渉計２６はパッシブ部品であるため、石英系プレーナ光波回路（ＰＬＣ：ｐｌａｎａｒ  ｌｉｇｈｔｗａｖｅ  ｃｉｒｃｕｉｔ）で構成される。石英系プレーナ光波回路は、光ファイバ作製技術とＬＳＩ微細加工技術との融合により、周囲より屈折率の高いコアと呼ばれる部分をシリコン基板上に作り出し、光集積回路を生成するもので、石英系ガラスを用いているため低損失で信頼性が高く、また集積回路プロセスで作製するため大規模な光回路を再現性よく低コストで製作できる特徴がある。
【００３１】
局側光回線終端装置１は、信号の送受信処理を行う制御部９、制御部９から入力される送信信号情報に応じて、ＧＥ−ＰＯＮ波長光を出力する送信部１０、信号光を受信して受信信号情報を制御部９へ出力する受信部１１、信号光の波長多重分離を行う波長多重化部１２を備える。制御部９は、受信信号処理における通信エラーから異常信号光の発光を検知し、各加入者側光回線終端装置に固有の情報ＩＤを載せた遮断制御用波長光を送信するよう送信部１０、波長多重化部１２を制御する。
【００３２】
次に動作について説明する。本発明の実施の形態３の光遮断システムにおいて、正規以外の加入者側光回線終端装置が設置されるなどして、当該加入者側光回線終端装置２が正規以外の異常信号光（妨害光）を発光した場合、この異常信号光は局側光回線終端装置１への上り信号としてマッハツェンダー干渉計２６をとおりＹ分岐器回路２３でその他の加入者側光回線終端装置２からの上り信号と結合され局側光回線終端装置１へ入射される。局側光回線終端装置１は、結合された異常信号光のため、他の加入者側光回線終端装置２から送信された信号を正常に受信することができず、制御部９が通信エラーに基づき、いずれかの加入者側光回線終端装置２から異常信号光が発光されていることを検知する。
【００３３】
次に局側光回線終端装置１は、制御部１２が送信部１０、波長多重化部１２を制御して、異常信号光を発光している加入者側光回線終端装置２を特定するために、各加入者側光回線終端装置２を指定する情報ＩＤをのせた遮断制御用波長光を発光する。光遮断装置２４において、この遮断制御用波長光を受信したヒータ制御部２７は、遮断制御用波長光内にある情報ＩＤを読み取り、情報ＩＤで特定される加入者側光回線終端装置２に対応するマッハツェンダー干渉計２６を特定し、特定したマッハツェンダー干渉計２６内部のヒータ温度を制御する。ここで、ヒータ制御部２７は、遮断制御用波長光の光エネルギーを電気エネルギーに変換したエネルギーを元に駆動される。
【００３４】
マッハツェンダー干渉計２６は入力光を２分岐し、分岐した片方の導波路には薄膜ヒータがあり、そこにヒータ制御部２７からの制御電流を受ける。この制御電流により導波路の温度が変わり、電流を流した時と止めた時では屈折率が変化する事により光の伝搬速度が変わり、分岐光に位相差が発生する。この位相差に応じて合流時の光の干渉度合が変化し、加入者側光回線終端装置２からの上り信号の光出力のオン／オフを切り替える事ができ、光スイッチとして動作する。ヒータ制御部２７に内部ヒータを制御されたマッハツェンダー干渉計２６は、光出力をオンからオフに切り替え光信号を遮断する。
【００３５】
局側光回線終端装置１は、上記で説明した情報ＩＤで特定される加入者側光回線終端装置２の光信号を遮断する制御を、局線内のすべての加入者側光回線終端装置２に対して順次行い、遮断していない他の加入者側光回線終端装置２から送信された信号を正常に受信することができるか否かの判断に基づき、異常信号光を発光している加入者側光回線終端装置２を特定する。すなわち、局側光回線終端装置１において正常な通信が可能になった状態時に、光信号を遮断するように制御されている加入者側光回線終端装置２が異常信号光を発光していた装置と特定される。
【００３６】
局側光回線終端装置１は、ＧＥ−ＰＯＮ波長光とは別に、異常信号光を発光させていると特定した加入者側光回線終端装置２の情報ＩＤをのせた遮断制御用波長光を発光させる。ＷＤＭカプラ１５にてＧＥ−ＰＯＮ波長光と遮断制御用波長光が分離され、ＧＥ−ＰＯＮ波長光はＹ分岐器回路２３に入射され、マッハツェンダー干渉計２６を介し、加入者側光回線終端装置２に入射される。一方、遮断制御用波長光は光遮断装置２４のヒータ制御部２７に入射され、ヒータ制御部２７で遮断制御用波長光内にある情報ＩＤを読み取る。ヒータ制御部２７は、情報ＩＤで特定される、すなわち異常信号光（妨害光）を発光させている該当の加入者側光回線終端装置２と接続されているマッハツェンダー干渉計２６のみヒータ温度を制御し、マッハツェンダー干渉計２６からの光出力をオンからオフに切り替え、当該加入者側光回線終端装置２からの上り信号を遮断する。
【００３７】
以上のように、この実施の形態３によれば、局側光回線終端装置１と加入者側光回線終端装置２間に、ＷＤＭカプラ１５、Ｙ分岐器回路２３、マッハツェンダー干渉計２６を石英系プレーナ光波回路で構成させ、これらとヒータ制御部２７とを光分岐器内に備えた、すなわち、ＷＤＭカプラ１５、Ｙ分岐器回路２３、マッハツェンダー干渉計２６、ヒータ制御部２７を含み構成した光遮断装置２４を設けて光遮断システムを構成するようにしたので、実施の形態１および実施の形態２の効果に加え、更なる設置場所の縮小が可能となる。また、石英系プレーナ光波回路を構成する石英系ガラスは物理的・化学的に非常に安定であり，光ファイバ製造法を基にした火炎堆積法とＬＳＩ製造に用いられる反応性イオンエッチング法の組合せにより、高精度な光導波路を安価に大量製造でき、更なる部材コストの低減が図れる。
【００３８】
尚、本実施の形態３で説明したＹ分岐器回路、マッハツェンダー干渉計、ヒータ制御部を、実施の形態１の光遮断システムにおいて、それぞれ光分岐器、光スイッチ、光電気変換部・光スイッチ制御部として用いることも可能である。
【産業上の利用可能性】
【００３９】
この発明は、加入者へ光ファイバを用いて最大伝送速度１Ｇビット／秒のインターネットサービスを提供するＧＥ−ＰＯＮシステムに利用可能である。
【図面の簡単な説明】
【００４０】
【図１】この発明の実施の形態１に係る光遮断システムの構成を示すブロック図である。
【図２】この発明の実施の形態２に係る光遮断システムの構成を示すブロック図である。
【図３】この発明の実施の形態３に係る光遮断システムの構成を示すブロック図である。
【符号の説明】
【００４１】
１  局側光回線終端装置（親局）、  ２  加入者側光回線終端装置（子局）、
３  光分岐器、  ４  光遮断装置、  ５  ＷＤＭカプラ、  ６  光スイッチ、
７  光電気変換部、  ８  光スイッチ制御部、  ９  制御部、  １０  送信部、
１１  受信部、  １２  波長多重化部、  １３  光分岐器、  １４  光遮断装置、
１５  ＷＤＭカプラ、  １６  光スイッチ、  １７  電線、  １８  光ＳＷ制御部、
２３  Ｙ分岐器回路（光分岐器）、  ２４  光遮断装置、
２６  マッハツェンダー干渉計（光スイッチ）、
２７  ヒータ制御部（光スイッチ制御部）
【図１】
2010028287.tif 000003
【図２】
2010028287.tif 000004
【図３】
2010028287.tif 000005